(57)【特許請求の範囲】
【請求項１】
壁厚を利用して凹設された凹設収納部を有する収納壁構造であって、
凹設収納部の奥壁部分に、垂直方向に隣接してタイルが貼設され、これらタイル同士の目地部分には、透明体からなる棚板が設けられ、凹設収納部の天井壁部分には、照明装置が設けられ、この照明装置による照明が、棚板を通過して凹設収納部全体に到達するようになされたことを特徴とする収納壁構造。
【請求項２】
タイルは、吸放湿性を有する多孔質板からなる請求項１記載の収納壁構造。
【発明の詳細な説明】
【０００１】
【発明の属する技術分野】
本発明は、壁厚を利用して凹設された凹設収納部を有する収納壁構造に関するものである。
【０００２】
【従来の技術】
従来より、住宅建物内において、壁厚を利用して凹設された凹設収納部を形成するようになされた収納壁構造が知られている。
【０００３】
図４に示すように、この収納壁構造における凹設収納部ａは、軸組材ｂの両面に貼設される下地板ｃのうち、一方の下地板ｃに開口部ｄを設け、この開口部ｄの内側の軸組材ｂの厚みの部分に、枠材ｅを設け、一方の下地材ｃの表面から、開口部ｄ内の枠材ｅ、他方の下地板ｃへと巻き込むように壁紙ｆを貼設して仕上げられていた。
【０００４】
【発明が解決しようとする課題】
しかし、上記従来の収納壁構造の場合、この収納壁構造における凹設収納部ａは、単に壁紙ｆを巻き込んで仕上げられているだけなので、意匠性に乏しかった。
【０００５】
本発明は係る実情に鑑みてなされたものであって、意匠性、機能性に優れた収納壁構造を提供することを目的としている。
【０００６】
【課題を解決するための手段】
上記課題を解決するための本発明の収納壁構造は、壁厚を利用して凹設された凹設収納部を有する収納壁構造であって、凹設収納部の奥壁部分に、垂直方向に隣接してタイルが貼設され、これらタイル同士の目地部分には、透明体からなる棚板が設けられ、凹設収納部の天井壁部分には、照明装置が設けられ、この照明装置による照明が、棚板を通過して凹設収納部全体に到達するようになされたものである。
【０００７】
また、上記収納壁構造において、タイルは、吸放湿性を有する多孔質板からなるものである。
【０００８】
【発明の実施の形態】
以下、本発明の実施の形態を図面を参照して説明する。
【０００９】
図１は収納壁構造の全体構成の概略を示し、図２および図３は同断面図を示している。
【００１０】
すなわち、この収納壁構造は、壁厚を利用して凹設された凹設収納部１を有する収納壁構造であって、凹設収納部１の奥壁部分１ａに、タイル２が貼設され、これらタイル２同士の目地部分には、棚板３が設けられ、凹設収納部１の天井壁部分１ｂには、照明装置４が設けられている。
【００１１】
凹設収納部１は、壁本体１１の一方の壁面１１ａ側に、幅約３００ｍｍ、高さ約９００ｍｍ、奥行き約１２０ｍｍの大きさで凹設されて形成されている。
【００１２】
この凹設収納部１が凹設される壁本体１１は、壁軸組材１２の両面に下地板１３を貼設して構成されている。凹設収納部１の周縁は、枠材１４が固定されている。下地板１３の表面から枠材１４にかけては、凹設収納部１内に巻き込むようにして壁紙１５が貼設されて仕上げられる。また、凹設収納部１の底壁部分１ｃには、この底壁部分１ｃから壁面１１ａにかけて見切り段板５が貼設されて仕上げられる。
【００１３】
タイル２は、約３００ｍｍ×約３００ｍｍに形成された吸放湿性の多孔質板が用いられる。このタイル２は、上記凹設収納部１の奥壁部分１ａに、垂直方向に隣接して三枚が貼設される。
【００１４】
棚板３は、１２０ｍｍ×３００ｍｍとなされた透明のガラス板が用いられる。この棚板３は、凹設収納部１の奥壁部分１ａに貼設される上記タイル２の目地２１と合致するように、凹設収納部１内に二枚が設けられる。この棚板３は、凹設収納部１の側壁部分１ｄに固定した棚板支持ピン３１の上に載せることによって設けられる。
【００１５】
照明装置４は、壁面埋め込み型のダウンライトが用いられる。この照明装置４は、凹設収納部１の天井壁部１ｂに設けた埋込孔１０内に埋め込むことによって取り付けられる。この照明装置４による照明のオンオフは、この凹設収納部１内の所望の位置にスイッチ（図示省略）を設けて行うようにしてもよいし、凹設収納部１に隣接する壁面１１ａの所望の位置にスイッチ（図示省略）を設けて行うようにしてもよい。
【００１６】
この壁構造によると、この凹設収納部１が設けられた居住空間は、このタイル２による吸放湿によって調湿されることとなり、快適な居住環境が得られることとなる。
【００１７】
また、この凹設収納部１の奥壁部分１ａに貼設されるタイル２は、隣接するタイル２との間の目地２１が目立たないように、この目地２１の部分に棚板３を設けているので、納まりも良く、優れた意匠性が得られることとなる。
【００１８】
さらに、棚板３は、透明のガラス板としているので、凹設収納部１の天井壁部分１ｂに設けた照明装置４による照明が、棚板３を通過して凹設収納部１全体に到達することとなる。したがって、この凹設収納部１に置かれる物を効果的に照明することができ、かつ、この壁構造を設けた居室の間接照明となり、優れた機能性が得られることとなる。
【００１９】
なお、本実施の形態において、凹設収納部１は、幅約３００ｍｍ、高さ約９００ｍｍ、奥行き約１２０ｍｍの大きさで凹設されて形成されているが、この凹設収納部１の大きさとしては、特に限定されるものではなく、壁本体１１の大きさに応じて適宜決定することができる。
【００２０】
また、本実施の形態では、棚板３は、ガラス板となされているが、照明装置４からの照明が通過するものであれば、樹脂板などであってもよい。また、着色された透明板であってもよい。
【００２１】
さらに、本実施の形態では、タイル２は、垂直方向に三枚を隣接して貼設するようになされているが、大型に形成された一枚もののタイル２であってもよいし、２枚または４枚以上であってもよい。ただし、施工までの間の取り扱いなどを考えた場合、本実施の形態のように、三枚に分割されている方が好ましいと言える。
【００２２】
【発明の効果】
以上述べたように、本発明によると、凹設収納部の奥壁部分に設けたタイルは、垂直方向に隣接して貼設し、目地部分を棚板で隠すようにしているので、納まりも良く、優れた意匠性が得られる。
【００２３】
また、凹設収納部の天井壁部分に照明装置を設け、この照明装置による照明が、透明体によって構成した棚板を通過して凹設収納部全体に到達するようにしているので、凹設収納部に置かれる物を効果的に照明することができ、かつ、この壁構造を設けた居室の間接照明として優れた機能性が得られることとなる。
【００２４】
さらに、凹設収納部の奥壁部分に設けたタイルは、吸放湿性を有する多孔質板とすることで、より一層の防音性、断熱性を確保することができるとともに、この凹設収納部が設けられた居住空間の調湿をできることとなる。
【図面の簡単な説明】
【図１】本発明に係る収納壁構造の全体構成の概略を示す部分斜視図である。
【図２】図１におけるI-I 線断面図である。
【図３】図１におけるII-II 線断面図である。
【図４】（ａ）ないし（ｃ）は従来の収納壁構造を示す部分斜視図、同図（ａ）におけるIII-III 線断面図およびIV-IV 線断面図である。
【符号の説明】
１  凹設収納部
２  タイル
３  棚板
４  照明装置
【図１】
0003802341.tif 000002
【図２】
0003802341.tif 000003
【図３】
0003802341.tif 000004
【図４】
0003802341.tif 000005